(57)【要約】【課題】照らす必要のないところまで照らして電力が無駄になったり、照らしたくないところに光が漏れてしまうことのない照明手段を備えた厨房装置を提供する。【解決手段】一面が出射面１１となると共に出射面１１とは異なる端面が入射面１２となる導光部材１二つが、出射面１１が互いに反対側を向き出射面１１と反対側の背面が互いに対向するように重合されて調理台４のカウンター４０に立設され、各導光部材１の入射面１２に光を入射させるための光源２がそれぞれ設けられる。【選択図】        図１
2011067440.tif 000002
【特許請求の範囲】
【請求項１】
一面が出射面となると共に出射面とは別の面が入射面となる導光部材二つが、その導光部材の出射面が互いに反対側を向き出射面と反対側の背面が互いに対向するように重合されて調理台のカウンターに立設され、各導光部材の入射面に光を入射させるための光源がそれぞれ設けられることを特徴とする照明付厨房装置。
【請求項２】
導光部材の入射面となる端部及び光源がカウンターに埋設されることを特徴とする請求項１記載の照明付厨房装置。
【請求項３】
導光部材がアーチ状又は門型をしていることを特徴とする請求項１又は２記載の照明付厨房装置。
【発明の詳細な説明】
【技術分野】
【０００１】
本発明は、照明手段を備えた厨房装置に関するものである。
【背景技術】
【０００２】
従来から、カウンターに照明手段が立設された厨房装置が知られている。このような厨房装置として例えば特許文献１又は特許文献２に示されるものは、キッチンとダイニングとを仕切る対面式の調理台のカウンターにバックガードが立設され、このバックガードに照明手段が設けられており、この照明手段によってカウンターを照らすものである。
【０００３】
バックガードには、導光部材の一面を光が入射する入射面とし、他の面を出射面とし、出射面又は出射面と対向する面に光を散乱させる導光パターンを設け、光源から出て入射面から入射した光が導光パターンで散乱して出射面から出射する照明手段が設けられており、光源にＬＥＤを用いて省電力化を図ることができる。
【先行技術文献】
【特許文献】
【０００４】
【特許文献１】特開２００８−４９０４５号公報
【特許文献２】特開２００８−４９０４６号公報
【発明の概要】
【発明が解決しようとする課題】
【０００５】
上記従来例にあっては、照明手段によりバックガードの両側、すなわちキッチン側とダイニング側の両側を同時に照らすようになっており、キッチン側のみを照らしたりダイニング側のみを照らすことができず、照らす必要のないところまで照らして電力が無駄になったり照らしたくないところに光が漏れたりしてしまうものであった。
【０００６】
本発明は上記従来の問題点に鑑みてなされたものであって、その目的とするところは、照らす必要のないところまで照らして電力が無駄になったり、照らしたくないところに光が漏れてしまうことのない照明付厨房装置を提供する。
【課題を解決するための手段】
【０００７】
本発明の照明付厨房装置は、一面が出射面１１となると共に出射面１１とは異なる端面が入射面１２となる導光部材１二つが、出射面１１が互いに反対側を向き出射面１１と反対側の背面が互いに対向するように重合されて調理台４のカウンター４０に立設され、各導光部材１の入射面１２に光を入射させるための光源２がそれぞれ設けられることを特徴とする。
【０００８】
これにより、各導光部材１に対応する光源２を別々に照らすことで、出射面１１から個別に光を出射することが可能となり、照らす必要のないところまで照らしてしまうことがない。
【０００９】
また本発明は、導光部材１の入射面１２となる端部及び光源２がカウンター４０に埋設されることを特徴とする。
【００１０】
これにより、光源２がカウンター４０に埋設されることで、光源２が見えなくなり意匠性が向上する。
【００１１】
また本発明は、導光部材１がアーチ状又は門型をしていることを特徴とする。
【００１２】
これにより、導光部材１がアーチ状、門型をしていることで単純な直線ではなくて意匠性が向上する。
【発明の効果】
【００１３】
本発明においては、照らす必要のないところまで照らして電力が無駄になったり、照らしたくないところに光が漏れてしまうことがないものである。
【図面の簡単な説明】
【００１４】
【図１】本発明の一実施形態において用いられる照明手段の構造を説明する図であり、（ａ）は同上の導光部材の斜視図であり、（ｂ）は同上の実施形態の要部断面図である。
【図２】同上の実施形態の全体外観斜視図である。
【図３】（ａ）は導光部材の外観斜視図であり、（ｂ）は（ａ）のＡ−Ａ断面図であり、（ｃ）は（ａ）のＢ−Ｂ断面図である。
【図４】導光部材の他例の断面図である。
【図５】他の実施形態の全体外観斜視図である。
【発明を実施するための形態】
【００１５】
以下、本発明を添付図面に示す実施形態に基いて説明する。
【００１６】
本発明における照明付厨房装置５は、図２に示すように、コンロ６、シンク７を備えた調理台４により主体が構成してある。調理台４は、調理台キャビネット４１と、調理台キャビネット４１の上面部に設置されるカウンター４０とを備えており、キッチンとダイニングとを仕切る対面式の厨房装置となっている。
【００１７】
カウンター４０には一側部にシンク７が設けられ、他側部にコンロ６が設けられていて、両者の中間部に調理面部８が設けられている。図中の符号６１は、コンロ６に設けられた発熱体を示す。
【００１８】
カウンター４０の一側部のシンク７に奥側にカラン７１が設けられ、該カラン７１にはカラン操作部７２が設けられ、使用者はカラン操作部７２を操作することで、カラン７１の先端の吐出口から湯又は水を吐水したり、吐水停止をしたり、あるいは湯水の混合割合を調整したりするようになっている。
【００１９】
本発明においては、カウンター４０に、導光部材１と光源２とを備えた発光装置二つからなる照明手段３が設けられる。
【００２０】
導光部材１は、一面が出射面１１となると共に該出射面１１又は出射面１１と対向する面に光を散乱させる導光パターン１３が形成され、出射面１１とは別の面が入射面１２となるもので、本実施形態では図１に示すように、断面が略矩形状で、湾曲して正面視においてアーチ状（弧状）となったものである。アーチは、中央部が最も高い位置にあり該中央部から左右両側に行くに従って下方に位置していて、その長手方向に直交する断面が上下に長い略矩形状となっている。そしてアーチの一側面が出射面１１となり、長手方向の端面が入射面１２となり、出射面１１と対向するもう一方の側面（背面とする）に光を散乱させる導光パターン１３が形成される。
【００２１】
二つの導光部材１は、出射面１１が互いに反対側を向くように、すなわち、導光パターン１３が形成された背面が互いに対向するように、アーチの両端部がカウンター４０に固定される。本実施形態では、一方の導光部材１の出射面１１がキッチン側であるカウンター４０前方（使用者がいる側）を向き、他方の導光部材１の出射面１１がダイニング側であるカウンター４０後方を向くように、アーチの両端部がカウンター４０のダイニング側の端部に埋設される。
【００２２】
入射面１２には光源２が設けられる。本実施形態では、両導光部材１の入射面１２にそれぞれ光を入射させるＬＥＤ２１を装着した基板２２を備えた一つの光源ブロック２０が、各ＬＥＤ２１が各導光部材１の入射面１２に対向するようにカウンター４０に埋設される。光源２がカウンター４０に埋設されることで、光源２が見えなくなり意匠性が向上する。
【００２３】
導光パターン１３は、図３（ａ）に示す導光部材１の模式的な図に示すように、導光部材１の背面の短手方向の略中央部に所定の幅で、導光部材１の長手方向に亘って形成される。図３（ｂ）に導光パターン１３が形成される部分の断面を示す。導光部材１の背面の導光パターン１３が形成される部分には、接着剤、粘着剤等からなる粘着層１４が設けられ、この粘着層１４により両導光部材１が連結固定されている。
【００２４】
また、導光部材１の背面の導光パターン１３が形成されていない部分は、図３（ｃ）に示すように、粘着層１４が設けられずに空気層１５となっている。
【００２５】
導光部材１は、大気に晒されている表面では、内部を進行してきた光が全反射して再び内部を進行する。但し入射角が所定の角度以下の場合は全反射しない。しかし、導光部材１の表面に別の物体が接触していると、この接触している部分では全反射がされない。導光パターン１３が形成される部分では、もともと全反射させる必要がないため、粘着層１４を設けても何ら差し支えない。導光パターン１３が形成されない部分では、背面間が空気層１５となっていて、全反射させることができ、光が無駄に減衰してしまうのが防止される。
【００２６】
また、図４に示すように、導光パターン１３が形成される背面間に、粘着層１４に加えて遮光層１６が設けられてもよい。遮光層１６がなく粘着層１４のみの場合、一方の導光部材１の光源２が発光して該一方の導光部材１の導光パターン１３で光が散乱された時、該一方の導光パターン１３の出射面１１から光が出射されるのは勿論であるが、前記導光パターン１３で散乱して粘着層１４を透過した一部の光が他方の導光パターン１３の出射面１１から出射してしまう。遮光層１６が設けられることで、一方の導光部材１の導光パターン１３で光が散乱されても、他方の導光パターン１３の出射面１１から光が出射してしまうのを防止することができる。なお、遮光層１６が設けられる代わりに、粘着層１４に遮光性を有する粘着層１４を用いても同様の効果が得られる。
【００２７】
本発明においては、二つの導光部材１の出射面１１が互いに反対側を向くように配置する際に、二つの導光部材１の背面が互いに対向するように配置してケース部材１０をなくして、両出射面１１間の長さが長くなってしまうのを阻止し、照明手段３の小型化を図ることができ、意匠性を高めることが可能となる。
【００２８】
また、キッチン側とダイニング側の一方を選択的に照らすことができるため、常に全体を照らす必要がなく省電力化を図ることができる。
【００２９】
また、図１、図２に示す上実施形態では、導光部材１は正面視においてアーチ状をしていたが、図５に示すように、導光部材１が正面視において下方に開口する略コ字状をしたいわゆる門型であってもよい。導光部材１がアーチ状、門型のいずれであっても、単純な直線ではないため意匠性が向上する。
【００３０】
また図示しないが、ダイニング側の端部に仕切りとして機能する立ち上がり部が立設されるカウンター４０において、この立ち上がり部の端縁部に照明手段３が設けられてもよい。
【符号の説明】
【００３１】
１    導光部材
１０  ケース部材
１１  出射面
１２  入射面
１３  導光パターン
１４  粘着層
１５  空気層
１６  遮光層
２    光源
２０  光源ブロック
２１  ＬＥＤ
２２  基板
３    照明手段
４    調理台
４１  キャビネット
４０  カウンター
５    照明付厨房装置
６    コンロ
６１  発熱体
７    シンク
７１  カラン
７２  カラン操作部
８    調理面部
【図１】
2011067440.tif 000003
【図２】
2011067440.tif 000004
【図３】
2011067440.tif 000005
【図４】
2011067440.tif 000006
【図５】
2011067440.tif 000007